(57)【要約】  パウチセルは、金属ラミネートフィルムにより形成された概して矩形のセル筐体と、該セル筐体内に封止された電極アセンブリと、該電極アセンブリのプレートスタックを取り囲む弾性拘束具とを含んでいる。
2018532235.tif 000002
【特許請求の範囲】
【請求項１】
第１の端部キャップと、
第２の端部キャップと、
前記第１の端部キャップを前記第２の端部キャップにつなぎ合わせる弾性部材と
を備える、拘束装置。
【請求項２】
前記第１の端部キャップと、前記第２の端部キャップとが同じサイズおよび形状を有している、請求項１記載の拘束装置。
【請求項３】
前記第１の端部キャップが、第１の閉鎖端部と、該第１の閉鎖端部から突出する平行な２つの第１の脚部とにより規定されるＵ字形形状を有しており、前記第１の端部キャップは、前記第１の閉鎖端部とは反対側にある第１の開放端部を含み、
前記第２の端部キャップは、第２の閉鎖端部と、該第２の閉鎖端部から突出する平行な２つの第２の脚部とにより規定されるＵ字形形状を有しており、前記第２の端部キャップは、前記第２の閉鎖端部とは反対側にある第２の開放端部を含む、請求項１記載の拘束装置。
【請求項４】
前記第１の開放端部は、前記第２の開放端部に離間して面している、請求項３記載の拘束装置。
【請求項５】
前記弾性部材は、第１の弾性ストラップと、第２の弾性ストラップとを含み、前記第１の弾性ストラップは、前記第１の脚部のうちの第１の部分を、前記第２の脚部のうちの第１の部分につなぎ合わせ、前記第２の弾性ストラップは、前記第１の脚部のうちの第２の部分を、前記第２の脚部のうちの第２の部分につなぎ合わせる、請求項３記載の拘束装置。
【請求項６】
前記第１の脚部のうちの前記第１の部分は、前記第２の脚部のうちの前記第１の部分から離間しており、前記第１の脚部の前記第２の部分は、前記第２の脚部のうちの前記第２の部分から離間している、請求項５記載の拘束装置。
【請求項７】
前記弾性部材は、弾性環状ベルトであり、前記第１の端部キャップと前記第２の端部キャップとを取り囲んでいる、請求項３記載の拘束装置。
【請求項８】
バッテリセルであって、
セル筐体と、
前記筐体内に配置された電極プレートスタックであって、負極電極プレートと交互に配置され、かつ中間セパレータプレートにより分離された正極電極プレートを含み、かつ第１の端部と、該第１の端部の反対側にある第２の端部と、前記正極電極プレートおよび前記負極電極プレートの積層方向に一致する積層軸線とを含む、電極プレートスタックと、
前記電極プレートスタックを取り囲む弾性拘束具と
を備える、バッテリセル。
【請求項９】
前記弾性拘束具は、
前記電極プレートスタックの前記第１の端部を覆う第１の端部キャップと、
前記電極プレートスタックの前記第２の端部を覆う第２の端部キャップと、
前記第１の端部キャップを前記第２の端部キャップにつなぎ合わせる弾性部材と
を含む、請求項８記載のバッテリセル。
【請求項１０】
前記第１の端部キャップは、前記電極スタックの前記第１の端部に面した第１の閉鎖端部と、該第１の閉鎖端部から前記積層軸線に対して平行な方向に突出する平行な２つの第１の脚部とにより規定されるＵ字形形状を有しており、前記第１の端部キャップは、前記第１の閉鎖端部の反対側にある第１の開放端部を含み、
前記第２の端部キャップは、前記電極スタックの前記第２の端部に面した第２の閉鎖端部と、該第２の閉鎖端部から前記積層軸線に対して平行な方向に突出する平行な２つの第２の脚部とにより規定されるＵ字形形状を有しており、前記第２の端部キャップは、前記第２の閉鎖端部の反対側にある第２の開放端部を含む、請求項９記載のバッテリセル。
【請求項１１】
前記第１の脚部は、前記第２の脚部から前記積層軸線に対して平行な方向で離間している、請求項１０記載のバッテリセル。
【請求項１２】
前記弾性部材は、第１の弾性ストラップと、第２の弾性ストラップとを含み、前記第１の弾性ストラップは、前記第１の脚部のうちの第１の部分を、前記第２の脚部のうちの第１の部分につなぎ合わせ、前記第２の弾性ストラップは、前記第１の脚部のうちの第２の部分を、前記第２の脚部のうちの第２の部分につなぎ合わせる、請求項１０記載のバッテリセル。
【請求項１３】
前記弾性部材は、弾性環状ベルトであり、前記第１の端部キャップと前記第２の端部キャップとを取り囲んでいる、請求項１０記載のバッテリセル。
【請求項１４】
バッテリセルを形成する方法であって、
負極電極プレートと交互に配置され、かつ中間セパレータプレートにより分離された正極電極プレートを含む電極プレートスタックであって、第１の端部と、該第１の端部の反対側にある第２の端部と、前記プレートの積層方向に一致する積層軸線とを含む、電極プレートスタックを提供し、
拘束装置であって、
第１の端部キャップと、
第２の端部キャップと、
前記第１の端部キャップを前記第２の端部キャップにつなぎ合わせる弾性部材と
を含む拘束装置を提供し、
前記第１の端部キャップが前記電極プレートスタックの前記第１の端部を覆い、前記第２の端部キャップが前記電極プレートスタックの前記第２の端部を覆い、前記弾性部材が前記第１の端部キャップを前記第２の端部キャップにつなぎ合わせている積層アセンブリを形成するように、前記電極スタックに前記拘束装置を組み付ける、バッテリセルを形成する方法。
【請求項１５】
バッテリセル筐体を提供し、該バッテリセル筐体内に積層アセンブリを挿入することを含む、請求項１４記載の方法。
【請求項１６】
前記バッテリセル筐体は、パウチセル筐体である、請求項１５記載の方法。
【発明の詳細な説明】
【技術分野】
【０００１】
１．発明の分野
本発明は、積層配列の電極プレートを含むパウチ型バッテリセルと、製造および組付けを容易にする構造的完全性を提供するために電極プレートを取り囲む弾性拘束具とに関する。
【０００２】
２．関連技術の説明
バッテリパックは、携帯型電子機器から再生可能電力システムおよび環境に優しい車両に及ぶ様々な技術のために電力を供給する。たとえばハイブリッド電気自動車（ＨＥＶ）は、燃費を向上させるために、バッテリパックおよび電動モータを内燃機関と組み合わせて使用する。バッテリパックは、複数のバッテリモジュールから形成されており、この場合、各バッテリモジュールは、幾つかの電気化学的なセルを含んでいる。これらのセルは、二次元または三次元のアレイに配列されており、直列または並列に電気接続されている。同様に、バッテリパック内の複数のバッテリモジュールも、直列または並列に電気接続されている。
【０００３】
極めて多様な設置状況におけるスペース要求に対応するために、種々異なるセルタイプが存在しており、自動車において使用される最も一般的なタイプは、円柱形セル、角柱形セルおよびパウチセルである。セル筐体に関して、たとえば円柱形セルおよび角柱形セルはそれぞれ、通常は金属またはプラスチックで形成された剛性の筐体を有しているのに対して、パウチセルは、実際のバッテリスペースを周囲に対して密封するラミネートフィルム材料により形成された可撓性の外装により取り囲まれている。
【０００４】
幾つかの従来のパウチセルは、多くの要因により厚みを制限されている。１つの要因は、パウチを形成するための金属ラミネートフィルムの使用に関する。たとえば、金属ラミネートフィルムは、最小限の構造的な安定性を有する、幾らか可撓性の、密封された容器を提供する。結果として、幾つかの従来のパウチセルは、大きな電極プレートスタックを提供することのできる多数の電極プレートを収容することができない。
【０００５】
発明の概要
パウチセルは、発電および蓄電ユニットを形成するためにパウチ型の金属ラミネートフィルムセル筐体内に電解質と一緒に密封されている電極アセンブリを含んでいる。電極アセンブリは、「積層型」の電極アセンブリであり、負極電極プレートと交互に配置され、かつ中間セパレータプレートにより分離された一連の積層された正極電極プレートを含んでいる。さらにパウチセルは、プレートスタックを取り囲む弾性拘束具を含んでいる。弾性拘束具は、スタックの複数のプレートを所望の整列配置および積層構造で維持し、積層方向（たとえばプレートの作動面に対して垂直な方向）で圧縮力を加えるために働く。プレートスタックが拘束されているので、（たとえば１００プレート対よりも多い）多数のプレート対を含む嵩高の電極プレートスタックを形成する複雑さが減じられている。このことは、積層されたプレートが束縛されておらず、電極プレートスタックが約６０個のプレート対を含み、約２０ｍｍの最大高さに達する幾つかの従来のパウチセルと比較することができる。さらに、拘束具が弾性を有しているので、この拘束具は、スタックの所望の構造を保ちながら、セルの充放電中に長じる積層方向でのプレートスタックの伸びを収容する。
【０００６】
幾つかの実施形態では、弾性拘束具が、一対の非導電性の端部キャップを含んでいる。これらの端部キャップは、プレートスタックの互いに反対側にある両端部を取り囲んでいて、１つまたは複数の非導電性の弾性部材を介して互いに接続されている。拘束具は、簡単な取り扱いおよび操作のために、かつ構造的完全性を増大させるために電極スタックを弾性的に束縛する一方で、プレートスタックが必要に応じて伸びることを許容する。
【０００７】
拘束具は、パウチセルの製造を補助し、パウチセルに増大された全体的な構造完全性を提供する。増大された構造完全性は、セルのクラッシュ・ワージネスを高め、バッテリパックまたはモジュール内における組付けおよび密な充填を容易にし、別個の外部フレームの必要性をなくす。拘束具は、セル電極スタックを束縛する一方で、充放電が行われている間の電極スタックの膨脹を未だに許容する。拘束具を採用することのさらなる利点は、幾つかの従来のパウチセルよりも多数のプレート対を収容する能力を含み、これにより、パウチセルの高さを幾つかの従来のパウチセルの高さに対して相対的に増大させることができる。その結果、セル、モジュールおよびバッテリパックのエネルギ密度が増大させられる。さらに拘束具を含むパウチセルは、バッテリパックおよびバッテリモジュールのために比較的少ない構造的な材料しか必要とせず、このことは、バッテリパックおよびバッテリモジュールの質量およびコストを減じる。
【図面の簡単な説明】
【０００８】
【図１】パウチセルのアレイを含むバッテリパックの分解された斜視図である。
【図２】パウチセルの斜視図である。
【図３】図２に示した３−３線に沿って見た、図２Ａに示すパウチセルの概略的な断面図である。
【図４】弾性拘束具で組み付けられた電極組付け体の斜視図である。
【図５】図４に示した電極組付け体の斜視図である。
【図６】図４に示した弾性拘束具の斜視図である。
【図７】択一的な弾性拘束具で組み付けられた電極組付け体の斜視図である。
【０００９】
詳細な説明
図１から図３を参照すると、電力を提供するために使用されるバッテリパック１は、複数の電気化学的なセル２０を含んでいる。これらの電気化学的なセル２０は、電気的に相互接続されており、バッテリパック筐体２内に整えられた形式で格納されている。バッテリパック筐体２は、容器部分３と、着脱可能な蓋４とを含んでいる。セル２０は、発電および蓄電ユニットを形成するために電解質と一緒にセル筐体２１内に密封されている電極アセンブリ６０を含むリチウムイオンパウチセルである。幾つかの実施形態では、セル２０の複数のグループが、バッテリモジュール（図示せず）を形成するために一緒に纏められていてもよい。この場合、バッテリモジュール自体は、バッテリパック筐体２内に格納されている。しかし、図示の実施形態では、セル２０はモジュールに纏められるのではなく、その代わりにバッテリパック筐体端子６，７に直接に電気接続されている。バッテリパック筐体２内では、セル２０は直列または並列に電気接続されている。
【００１０】
各セル２０は、金属ラミネートフィルムにより形成されたパウチ型セル筐体２１を含んでいる。セル筐体２１は、矩形形状を有している。図示の実施形態では、セル筐体２１は立方体形状であり、６つの直交面を含んでいる。これらの面には、第１の端部２２と、該第１の端部２２の反対側にある第２の端部２３と、第１の側面２４と、該第１の側面２４に隣接する第２の側面２５と、第２の側面２５に隣接し、第１の側面２４の反対側にある第３の側面２６と、第３の側面２６および第１の側面２４に隣接し、第２の側面２５の反対側にある第４の側面２７とを含んでいる。第１の側面２４、第２の側面２５、第３の側面２６および第４の側面２７はそれぞれ、第１の端部２２と第２の端部２３との間に延びており、これら６つの面が一緒に、電極アセンブリ６０により占められる密封された内部空間を規定する。
【００１１】
電極アセンブリ６０は、負極電極プレート６２と交互に配置され、かつ中間セパレータプレート（図示せず）により分離された一連の積層された正極電極プレート６１を含んでいる。一連の積層された電極プレートおよびセパレータプレートは、本明細書では「プレートスタック６４」と呼ばれ、プレートスタック６４の積層軸線６６は、プレートスタック６４の中心を通って、積層方向に対して平行な方向に延びている。電極プレート６０，６１は、全体的なセル厚さ（たとえば数十ミリメートルまたは数百ミリメートルのオーダの厚さを有している）に比べて、極めて薄く（たとえば約０．０９５ミリメートル〜０．１４５ミリメートルのオーダの厚さを有している）、したがって、図３では概略的に図示されている。
【００１２】
図４から図６を参照すると、各セル２０は、弾性拘束具４０も含んでいる。この拘束具４０は、プレートスタック６４のプレート６０，６１を所望の整列配置および積層構造で維持し、積層軸線６６に対して平行な方向で圧縮力を加えるために使用される。拘束具４０は、第１の端部キャップ４１と、第２の端部キャップ４２と、第１の端部キャップ４１および第２の端部キャップ４２の間に配置されてこれらをつなぎ合わせる弾性部材５０とを有している。
【００１３】
第１の端部キャップ４１および第２の端部キャップ４２はそれぞれ、Ｕ字形形状を有している。特に、第１の端部キャップ４１は、Ｕ字形の基部に対応する第１の閉鎖端部４２と、該第１の閉鎖端部４２から突出する平行な２つの第１の脚部４３，４４を含んでいる。第１の脚部４２，４３は、第１の閉鎖端部４２に対して垂直な方向に延びている。第１の脚部４３，４４の自由端の間に第１の端部キャップ４１の開放端部４９が規定されており、この開放端部４９は第１の閉鎖端部４２の反対側にある。同様に、第２の端部キャップ４５は、Ｕ字形の基部に対応する第２の閉鎖端部４６と、該第２の閉鎖端部４６から突出する平行な２つの第２の脚部４７，４８を含んでいる。第２の脚部４７，４８は、第２の閉鎖端部４６に対して垂直な方向に延びている。第２の脚部４７，４８の自由端の間に第２の端部キャップ４５の開放端部５２が規定されていて、この開放端部５２は第２の閉鎖端部４６の反対側にある。
【００１４】
第１の閉鎖端部４２および第２の閉鎖端部４６は、覆っている電極プレート６１，６２の形状およびサイズに概して合わせられた形状およびサイズを有している。図示の実施形態では、第１の閉鎖端部４２および第２の閉鎖端部４６は、矩形形状、たとえば電極プレート６１，６２の正方形形状に合わせるための正方形形状を有している。各閉鎖端部４２，４６の向かい合った縁部から突出する第１の脚部４３，４４および第２の脚部４７，４８は、電極プレート６１，６２の幅ｗ２に対応する幅寸法ｗ１を有している。第１の脚部４３，４４および第２の脚部４７，４８は、プレートスタック６４の高さｈ２（たとえば積層軸線６６に対して平行な方向の寸法）の半分よりも小さな高さｈ１（たとえば各閉鎖端部４２，４６に対して垂直方向の寸法）を有している。これにより、第１の脚部４３，４４と第２の脚部４７，４８との間にはギャップｇが存在している。
【００１５】
第１の端部キャップ４１および第２の端部キャップ４２は、セル筐体２１内で使用される電解質に適合する材料から形成されていて、高い絶縁耐力を有している。たとえば、図示の実施形態では、端部キャップ４１，４２は、ＦｏｒｍｅｘＴＭのようなプラスチックから形成されている。
【００１６】
弾性部材５０は、弾性ストラップ５４，５６対であり、第１の端部キャップ４１を第２の端部キャップ４２につなぎ合わせるために使用されている。弾性ストラップ５４，５６は、矩形形状であり、ギャップｇを跨ぎ、脚部の一部を覆うために十分な高さｈ３と、脚部の幅ｗ１の少なくとも３０パーセントの幅ｗ３とを有している。たとえば、図示の実施形態では、ストラップ５４，５６の幅ｗ３は、脚部の幅ｗ１の約８０パーセントである。
【００１７】
弾性ストラップ５４，５６は、非導電性であり、合成ゴム薄膜またはフルオロエラストマであるエチレンプロピレンジエンモノマ（ＥＰＤＭ）のような、セル筐体２１内で使用される電解質に適合する弾性材料から製造されている。弾性ストラップ５４，５６は、各脚部４３，４４，４７，４８に、たとえば接着剤を含む公知の方法を用いてつなぎ合わされている。図示の実施形態では、第１の弾性ストラップ５４は、第１の端部キャップ４１の一方の脚部４３を第２の端部キャップ４５の一方の脚部４７につなぎ合わせるために使用され、第２の弾性ストラップ５６は、第１の端部キャップ４１の他方の脚部４４を第２の端部キャップ４５の他方の脚部４８につなぎ合わせるために使用されている。
【００１８】
使用中に、拘束具４０は閉鎖端部４２，４６に対して垂直な方向で伸張するので、この拘束具４０は電極アセンブリ６０に組み付けられ得る。第１の端部キャップ４１は、プレートスタックの第１の端部６７を覆って配置されているので、第１の閉鎖端部４２は、スタックの第１の端部に面して覆っている一方、第２の端部キャップ４５は、プレートスタックの第２の端部６８を覆って配置されているので、第２の閉鎖端部４６は、プレートスタックの第２の端部６８に面して覆っている。この構造では、第１の脚部４３，４４および第２の脚部４７，４８は、積層軸線６６に対して平行に延びており、プレートスタック６４の互いに反対側に覆っていて、プレートスタック６４に横方向の安定性を提供している。第１の端部キャップ４１の第１の開放端部４９は、第２の端部キャップ４５の第２の開放端部５２に離間して面している。さらに、拘束具４０は、プレートスタック６４の周囲を取り囲んでいて、プレートスタック６４は、第１の端部キャップ４１と第２の端部キャップ４２との間に配置されている。一度、拘束具４０が電極組付け体６０に組み付けられると、ストラップ５４，５７の弾性特性が、第１の端部キャップ１を積層軸線６６に沿って第２の端部キャップ４５に向かって引っ張り、これにより、積層軸線６６に対して平行な方向への拘束により電極スタック６４に圧縮力が加えられる。脚部４３，４４，４７，４８およびギャップの長さ寸法は、圧縮力が、プレートスタックの伸張を可能にしつつ、プレートスタックを積層され整列された所望の構造で維持するためには十分であるように、しかしプレートのイオン交換特性を損なうには不十分であるように、設定されている。
【００１９】
図７を参照すると、択一的な実施形態の弾性拘束具１４０は、プレートスタック６４のプレート６０，６１を整列され積層された所望の構造で維持し、積層軸線６６に対して平行な方向で圧縮力を加えるために使用することができる。拘束具１４０は、第１の端部キャップ４１と、第２の端部キャップ４２と、第１の端部キャップ４１および第２の端部キャップ４２の間に配置されてこれらをつなぎ合わせる弾性部材１５０を有している。択一的な実施形態の拘束具１４０の第１の端部キャップ４１および第２の端部キャップ４２は、図３から図６について上記で説明した拘束具４０の第１の端部キャップ４１および第２の端部キャップ４２と同一であり、したがって共通の構成要素を参照するために共通の参照符号が使用されている。
【００２０】
弾性部材１５０は、弾性環状ベルト１５２であり、使用された際に、プレートスタック６４が第１の端部キャップ４１と第２の端部キャップ４２との間に配置されていて、ベルト１５２が積層軸線６６に対して平行な方向に沿ってプレートスタック６４に圧縮力を加えるように、第１の端部キャップ４１および第２の端部キャップ４２を取り囲んでいる。ベルト１５２は、ストラップ５２，５４の材料と同じ材料から形成されていてもよく、比較的幅広である幅ｗ４を有している。たとえば、この幅ｗ４は、脚部の幅ｗ１の２５〜１００パーセントの範囲にあってもよい。幾つかの実施形態では、比較的幅広の単独のベルト１５０が、プレートスタック６４の周囲を取り囲むために使用されている（図７）のに対して、別の実施形態（図示せず）では、比較的小さな幅を有する複数のベルト１５２がプレートスタックの周囲を取り囲むために使用されていてもよい。
【００２１】
図３から図７に図示の実施形態では、第１の端部キャップ４１および第２の端部キャップ４５はＵ字形である。しかし、第１の端部キャップ４１および第２の端部キャップ４５は、Ｕ字形に制限されておらず、別の適切な形状を有していてもよい。たとえば、幾つかの実施形態では、第１の端部キャップ４１および第２の端部キャップ４５が、プレートスタック６４の外縁形状に合わせた外縁形状（すなわち、矩形外縁形状）を有するプレートの形態であってもよい。
【００２２】
図３から図７に図示の実施形態では、第１の端部キャップ４１は、第２の端部キャップ４５と同じサイズおよび形状を有している。しかし、拘束具４０は、この構造に制限されていない。たとえば、幾つかの実施形態では、第１の端部キャップ４１はＵ字形であってもよく、第２の端部キャップ４５は、矩形プレートの形態であってもよい。
【００２３】
セル筐体２１は、本明細書では金属ラミネートフィルムから形成されるパウチセル筐体であるように記載されているが、セル筐体２１は、この材料および構造に制限されていない。たとえば、セル筐体２１は、別の材料から形成されていてもよい、かつ／または角柱、円柱または別の構造を有して形成されていてもよい。
【００２４】
電極組付け体６０は、本明細書では、一連の積層されたプレート６１，６２を含む「積層型」の電極組付け体として記載されているが、電極組付け体６０はこの構造に制限されていない。たとえば、幾つかの実施形態では、電極組付け体６０は、巻回電極アセンブリ（たとえばゼリーロール型アセンブリ）、折り畳み電極アセンブリ（すなわちＺ折りアセンブリ）、または別の電極配列を含んでいてもよい。
【００２５】
バッテリセルおよびセル筐体の選択式に図示された実施形態が上記で詳しく説明された。この装置の説明のために必要であると考えられる構造のみが本明細書において説明されていると理解すべきである。バッテリシステムの別の従来構造および付随する補助的な構成要素の別の従来構造は、公知であり、当業者により理解されると仮定されている。さらに、バッテリセルおよびバッテリセル筐体の実施例が上記されているが、バッテリセルおよび／またはバッテリセル筐体は、上記実施例に制限されておらず、種々の択一的な設計が本発明の特許請求の範囲に記載された装置から逸脱することなしに実施され得る。
【図１】
2018532235.tif 000003
【図２】
2018532235.tif 000004
【図３】
2018532235.tif 000005
【図４】
2018532235.tif 000006
【図５】
2018532235.tif 000007
【図６】
2018532235.tif 000008
【図７】
2018532235.tif 000009
【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
第１の端部キャップと、
第２の端部キャップと、
前記第１の端部キャップを前記第２の端部キャップにつなぎ合わせる弾性部材と
を備える、拘束装置。
【請求項２】
前記第１の端部キャップと、前記第２の端部キャップとが同じサイズおよび形状を有している、請求項１記載の拘束装置。
【請求項３】
前記第１の端部キャップが、第１の閉鎖端部と、該第１の閉鎖端部から突出する平行な２つの第１の脚部とにより規定されるＵ字形形状を有しており、前記第１の端部キャップは、前記第１の閉鎖端部とは反対側にある第１の開放端部を含み、
前記第２の端部キャップは、第２の閉鎖端部と、該第２の閉鎖端部から突出する平行な２つの第２の脚部とにより規定されるＵ字形形状を有しており、前記第２の端部キャップは、前記第２の閉鎖端部とは反対側にある第２の開放端部を含む、請求項１記載の拘束装置。
【請求項４】
前記第１の開放端部は、前記第２の開放端部に離間して面している、請求項３記載の拘束装置。
【請求項５】
前記弾性部材は、第１の弾性ストラップと、第２の弾性ストラップとを含み、前記第１の弾性ストラップは、前記第１の脚部のうちの第１の部分を、前記第２の脚部のうちの第１の部分につなぎ合わせ、前記第２の弾性ストラップは、前記第１の脚部のうちの第２の部分を、前記第２の脚部のうちの第２の部分につなぎ合わせる、請求項３記載の拘束装置。
【請求項６】
前記第１の脚部のうちの前記第１の部分は、前記第２の脚部のうちの前記第１の部分から離間しており、前記第１の脚部の前記第２の部分は、前記第２の脚部のうちの前記第２の部分から離間している、請求項５記載の拘束装置。
【請求項７】
前記弾性部材は、弾性環状ベルトであり、前記第１の端部キャップと前記第２の端部キャップとを取り囲んでいる、請求項３記載の拘束装置。
【請求項８】
バッテリセルであって、
セル筐体と、
前記セル筐体内に配置された電極プレートスタックであって、負極電極プレートと交互に配置され、かつ中間セパレータプレートにより分離された正極電極プレートを含み、かつ第１の端部と、該第１の端部の反対側にある第２の端部と、前記正極電極プレートおよび前記負極電極プレートの積層方向に一致する積層軸線とを含む、電極プレートスタックと、
前記電極プレートスタックを取り囲む弾性拘束具と
を備える、バッテリセル。
【請求項９】
前記弾性拘束具は、
前記電極プレートスタックの前記第１の端部を覆う第１の端部キャップと、
前記電極プレートスタックの前記第２の端部を覆う第２の端部キャップと、
前記第１の端部キャップを前記第２の端部キャップにつなぎ合わせる弾性部材と
を含む、請求項８記載のバッテリセル。
【請求項１０】
前記第１の端部キャップは、前記電極プレートスタックの前記第１の端部に面した第１の閉鎖端部と、該第１の閉鎖端部から前記積層軸線に対して平行な方向に突出する平行な２つの第１の脚部とにより規定されるＵ字形形状を有しており、前記第１の端部キャップは、前記第１の閉鎖端部の反対側にある第１の開放端部を含み、
前記第２の端部キャップは、前記電極プレートスタックの前記第２の端部に面した第２の閉鎖端部と、該第２の閉鎖端部から前記積層軸線に対して平行な方向に突出する平行な２つの第２の脚部とにより規定されるＵ字形形状を有しており、前記第２の端部キャップは、前記第２の閉鎖端部の反対側にある第２の開放端部を含む、請求項９記載のバッテリセル。
【請求項１１】
前記第１の脚部は、前記第２の脚部から前記積層軸線に対して平行な方向で離間している、請求項１０記載のバッテリセル。
【請求項１２】
前記弾性部材は、第１の弾性ストラップと、第２の弾性ストラップとを含み、前記第１の弾性ストラップは、前記第１の脚部のうちの第１の部分を、前記第２の脚部のうちの第１の部分につなぎ合わせ、前記第２の弾性ストラップは、前記第１の脚部のうちの第２の部分を、前記第２の脚部のうちの第２の部分につなぎ合わせる、請求項１０記載のバッテリセル。
【請求項１３】
前記弾性部材は、弾性環状ベルトであり、前記第１の端部キャップと前記第２の端部キャップとを取り囲んでいる、請求項１０記載のバッテリセル。
【請求項１４】
バッテリセルを形成する方法であって、
負極電極プレートと交互に配置され、かつ中間セパレータプレートにより分離された正極電極プレートを含む電極プレートスタックであって、第１の端部と、該第１の端部の反対側にある第２の端部と、前記正極電極プレートの積層方向に一致する積層軸線とを含む、電極プレートスタックを提供し、
拘束装置であって、
第１の端部キャップと、
第２の端部キャップと、
前記第１の端部キャップを前記第２の端部キャップにつなぎ合わせる弾性部材と
を含む拘束装置を提供し、
前記第１の端部キャップが前記電極プレートスタックの前記第１の端部を覆い、前記第２の端部キャップが前記電極プレートスタックの前記第２の端部を覆い、前記弾性部材が前記第１の端部キャップを前記第２の端部キャップにつなぎ合わせている積層アセンブリを形成するように、前記電極プレートスタックに前記拘束装置を組み付ける、バッテリセルを形成する方法。
【請求項１５】
バッテリセル筐体を提供し、該バッテリセル筐体内に積層アセンブリを挿入することを含む、請求項１４記載の方法。
【請求項１６】
前記バッテリセル筐体は、パウチセル筐体である、請求項１５記載の方法。
【国際調査報告】
2018532235.tif 000010
2018532235.tif 000011